(57)【要約】【課題】  容易に外れないようにすると共に、装着性を向上させた血圧計用カフを提供する。【解決手段】  被測定部位（手首Ｍ）に巻くように装着されるカバー体２１に収容され、前記被測定部位（手首Ｍ）に沿うように湾曲する弾性体のコア２５を備え、前記コア２５は、略円筒状の一部が切欠かれてなる開口を有する断面Ｃ字状のコア本体３１と、前記コア本体３１の端部３５ａから、前記コア本体３１の外側であって、前記コア本体３１の端部間を結ぶ平面Ｐ１の垂直面Ｐ２に対して遠ざかる方向に延在する返し部３６ａと、を備える。【選択図】図２
2019154866.tif 000002
【特許請求の範囲】
【請求項１】
被測定部位に巻くように装着されるカバー体に収容され、前記被測定部位に沿うように湾曲する弾性体のコアを備え、
前記コアは、
略円筒状の一部が切欠かれてなる開口を有する断面Ｃ字状のコア本体と、
前記コア本体の端部から、前記コア本体の外側であって、前記コア本体の端部間を結ぶ平面の垂直面に対して遠ざかる方向に延在する返し部と、を備える
ことを特徴とする血圧計用カフ。
【請求項２】
前記コアは、前記返し部の先端から、前記コア本体に近づく方向に屈曲して形成される第２返し部を備える
ことを特徴とする、請求項１に記載の血圧計用カフ。
【請求項３】
前記コア本体の一方の端部は、前記コア本体の他方の端部より突出して設けられ、
前記返し部は、少なくとも突出して設けられた前記コア本体の一方の端部に設けられる
ことを特徴とする、請求項１または２に記載の血圧計用カフ。
【請求項４】
前記返し部は、前記コア本体の両方の端部に設けられる
ことを特徴とする、請求項１から３の何れか一項に記載の血圧計用カフ。
【発明の詳細な説明】
【技術分野】
【０００１】
本発明は、被測定部位に巻かれる帯状の血圧計用カフに関する。
【背景技術】
【０００２】
従来、血圧計用カフは、略円筒状の一部が切欠かれて開口部を有する弾性体のコアを備え、開口部から挿入した上腕または手首に装着できるようにすると共に、装着した際に、容易に外れないように、上腕または手首をある程度覆うように構成される（例えば、特許文献１参照）。
【先行技術文献】
【特許文献】
【０００３】
【特許文献１】特開昭５９−５１８３７号公報
【発明の概要】
【発明が解決しようとする課題】
【０００４】
特許文献１には、カフ帯に人体の上腕に略沿うことができる湾曲板（コア）を収容し、湾曲板の両端間に人体の上腕を挿入することができる開口を形成する血圧計用カフが開示されている。また、特許文献１には、湾曲板の一端部が、外側にはね上げ変形した血圧計用カフが開示されている。
【０００５】
しかしながら、特許文献１に記載の血圧計用カフは、湾曲板の一端部が、他端部側に傾斜するように、はね上げ変形しているため、上腕を開口から湾曲板内に挿入する際に、このはね上げ変形した形状の先端に上腕が当たってしまい、装着性が悪い、という問題がある。
【０００６】
そこで、本発明は、容易に外れないようにすると共に、装着性を向上させた血圧計用カフを提供することを目的としている。
【課題を解決するための手段】
【０００７】
前記目的を達成するために、本発明の血圧計用カフは、被測定部位に巻くように装着されるカバー体に収容され、前記被測定部位に沿うように湾曲する弾性体のコアを備え、前記コアは、略円筒状の一部が切欠かれてなる開口を有する断面Ｃ字状のコア本体と、前記コア本体の端部から、前記コア本体の外側であって、前記コア本体の端部間を結ぶ平面の垂直面に対して遠ざかる方向に延在する返し部と、を備えることを特徴とする。
【発明の効果】
【０００８】
このように構成された本発明の血圧計用カフは、容易に外れないようにすると共に、装着性を向上させることができる。
【図面の簡単な説明】
【０００９】
【図１】実施例１の手首装着型血圧計用カフを備えた手首装着型血圧計の構成を示す斜視図である。
【図２】実施例１の手首装着型血圧計用カフを備えた手首装着型血圧計の構成を示す断面図である。
【図３】実施例１の手首装着型血圧計用カフのコアの構成を示す側面図である。
【図４Ａ】実施例１の手首装着型血圧計用カフの作用を説明する説明図であり、手首が返し部の側面に当接した状態を示す。
【図４Ｂ】実施例１の手首装着型血圧計用カフの作用を説明する説明図であり、開口が広げられた状態を示す。
【図５Ａ】実施例２の手首装着型血圧計用カフの構成と作用を説明する説明図であり、手首が返し部の側面に当接した状態を示す。
【図５Ｂ】実施例２の手首装着型血圧計用カフの作用を説明する説明図であり、開口が広げられた状態を示す。
【図６Ａ】実施例３の手首装着型血圧計用カフの構成と作用を説明する説明図であり、手首が返し部の側面に当接した状態を示す。
【図６Ｂ】実施例３の手首装着型血圧計用カフの作用を説明する説明図であり、開口が広げられた状態を示す。
【図７Ａ】実施例４の手首装着型血圧計用カフの構成と作用を説明する説明図であり、手首が返し部の側面に当接した状態を示す。
【図７Ｂ】実施例４の手首装着型血圧計用カフの作用を説明する説明図であり、開口が広げられた状態を示す。
【発明を実施するための形態】
【００１０】
以下、本発明による血圧計用カフを実現する実施形態を、図面に示す実施例１から実施例３に基づいて説明する。
【実施例１】
【００１１】
まず、実施例１における血圧計用カフの構成を説明する。
実施例１における血圧計用カフは、被測定部位としての手首の血圧を測る手首装着型血圧計に備わる手首装着型血圧計用カフに適用される。
【００１２】
［手首装着型血圧計の構成］
図１は、実施例１の手首装着型血圧計用カフを備えた手首装着型血圧計の構成を示す斜視図である。図２は、実施例１の手首装着型血圧計用カフを備えた手首装着型血圧計の構成を示す断面図である。以下、図１および図２に基づいて、実施例１の手首装着型血圧計の構成を説明する。
【００１３】
手首装着型血圧計１は、図１に示すように、装置本体１０と、手首Ｍに巻き付けられる手首装着型血圧計用カフ２０と、を備える。装置本体１０の表面には、表示部１１と、操作部１２と、を備える。
【００１４】
装置本体１０は、手首装着型血圧計１が手首Ｍに装着された状態で、手の甲側から親指側にわたって配置され、被測定者が、表示部１１を視認し、操作部１２を操作可能なようになっている。装置本体１０の内部には、図示しないポンプ、スローリーク弁、圧力センサー等を内蔵する。
【００１５】
手首装着型血圧計用カフ２０は、図２に示すように、手首Ｍに巻くように装着されるカバー体２１と、カバー体２１の内部に収容される空気袋２２およびコア３０と、を備える。
【００１６】
カバー体２１は、帯状の布等で形成され、手首Ｍの一般的な周長よりも長く形成される。カバー体２１の折り返し部２１ａの近傍には、面ファスナ２３が取り付けられる。面ファスナ２３は、装置本体１０の上面に設けられた面ファスナ２４に押し付けることで固定される。
【００１７】
空気袋２２は、樹脂シートにより形成された袋状の部材から形成される。空気袋２２は、装置本体１０のポンプから導入された空気により膨張する。
【００１８】
このように構成された手首装着型血圧計１では、手首装着型血圧計用カフ２０を手首Ｍに巻き、面ファスナ２３と面ファスナ２４とを貼り付けることで、手首装着型血圧計１を被測定者の手首Ｍに装着する。手首装着型血圧計１を被測定者の手首Ｍに装着した状態で、操作部１２を操作することで、装置本体１０のポンプから、空気袋２２の内部に、空気が導入される。空気袋２２に空気が導入されると、手首Ｍの動脈が圧迫される。
【００１９】
その後、装置本体１０に内蔵されているポンプの駆動が止められ、空気袋２２内の空気を、装置本体１０に内蔵されたスローリーク弁より徐々に抜くことにより、空気袋２２内の圧力を下げる。このとき、手首Ｍの動脈の脈動による空気袋２２内の圧力の変化を、装置本体１０に内蔵された圧力センサーにて検出し、表示部１１に表示するようになっている。
【００２０】
［コアの構成］
図３は、実施例１の手首装着型血圧計用カフのコアの構成を示す側面図である。以下、図３に基づいて、実施例１の手首装着型血圧計のコアの構成を説明する。
【００２１】
コア３０は、可とう性を有する弾性体で形成され、図３に示すように、手首Ｍに沿うように湾曲するコア本体３１と、コア本体３１から張り出した返し部３６ａと、から構成される。
【００２２】
コア本体３１は、断面略円弧状の底部３２と、底部３２の両端から起立する側壁部３３ａ，３３ｂと、側壁部３３ａ，３３ｂの先端から内側に屈曲して形成される窄み部３４ａ，３４ｂと、から構成される。
【００２３】
窄み部３４ａ，３４ｂの端部３５ａ，３５ｂは、開放端として形成される。端部３５ａと、端部３５ｂとの間には、開口長ｈの開口５０が形成される。開口５０は、図３の上下方向において、コア本体３１の略中央に形成される。図３の左右方向において、端部３５ａと、端部３５ｂとは、略同じ位置にある。
【００２４】
すなわち、コア本体３１は、略円筒状の一部が切欠かれてなる開口５０を有する断面Ｃ字状に形成される。なお、開口長ｈは、断面Ｃ形状を形成する端部３５ａと端部３５ｂとの最短距離とする。
【００２５】
返し部３６ａは、コア本体３１の端部３５ａから、コア本体３１の外側であって、コア本体３１の端部３５ａ，３５ｂ間を結ぶ平面Ｐ１の垂直面Ｐ２に対して遠ざかる方向に延在する。言い換えると、返し部３６ａは、断面Ｃ字状を形成する端部３５ａ，３５ｂのうち、装置本体１０が取り付けられる側（図３で上側）の端部３５ａから、コア本体３１の外周面の外側で、開口５０が広がる方向に張り出して形成される。返し部３６ａの側面３７ａは、平坦に形成される。
【００２６】
なお、返し部３６ａの側面３７ａは、曲面形状であってもよい。また、返し部３６ａは、断面Ｃ字状を形成する端部３５ａ，３５ｂのうち、装置本体１０が取り付けられる側（図３で上側）の端部３５ａとは反対側の端部３５ｂから、コア本体３１の外周面の外側で、開口５０が広がる方向に張り出して形成されてもよい。
【００２７】
次に、実施例１の手首装着型血圧計用カフ２０の作用を説明する。
図４Ａは、実施例１の手首装着型血圧計用カフの作用を説明する説明図であり、手首が返し部の側面に当接した状態を示す。図４Ｂは、実施例１の手首装着型血圧計用カフの作用を説明する説明図であり、開口が広げられた状態を示す。
【００２８】
実施例１の手首装着型血圧計用カフ２０は、被測定部位（手首Ｍ）に巻くように装着されるカバー体２１に収容され、被測定部位（手首Ｍ）に沿うように湾曲する弾性体のコア３０を備える。コア３０は、略円筒状の一部が切欠かれてなる開口を有する断面Ｃ字状のコア本体３１と、コア本体３１の端部３５ａから、コア本体３１の外側であって、コア本体３１の端部間を結ぶ平面Ｐ１の垂直面Ｐ２に対して遠ざかる方向に延在する返し部３６ａと、を備える（図３）。
【００２９】
手首装着型血圧計用カフ２０を手首Ｍに装着する際は、図４Ａに示すように、被測定者が、装置本体１０を手で持ち、手首装着型血圧計用カフ２０の開口５１を、被測定者の手首Ｍに向けて移動させる。ここで、手首装着型血圧計用カフ２０の開口５１は、コア本体３１の開口５０に対し、カバー体２１の厚みを考慮したものであり、開口５０と相関関係にある。
【００３０】
手首装着型血圧計用カフ２０が、手首Ｍに近づくと、手首Ｍが、カバー体２１を介して、返し部３６ａの側面３７ａに当たる。手首Ｍが、カバー体２１を介して、返し部３６ａの側面３７ａに当たった状態で、手首装着型血圧計１を手首Ｍに近づく方向に移動させると、側面３７ａが手首Ｍに押される。
【００３１】
側面３７ａが手首Ｍに押されると、図４Ｂに示すように、コア本体３１の形状が変形し、開口５１が開口長Ｈより長い開口長Ｈａとなり、開口５１が広がる。開口５１が広がった状態で、手首装着型血圧計１を手首Ｍに近づく方向にさらに移動させると、手首Ｍが、開口５１を通過し、手首装着型血圧計用カフ２０が手首Ｍに装着される。
【００３２】
すなわち、手首装着型血圧計１を手首Ｍに装着する際に、手首Ｍを返し部３６ａの側面３７ａに押し付けて、コア本体３１の開口５０が開く方向に、コア３０を変形させることができる。そのため、手首装着型血圧計用カフ２０の手首Ｍへの装着性を向上させることができる。
【００３３】
仮に、窄み部３４ａ，３４ｂを設けずに開口５０を大きくしてしまうと、コア本体３１が手首Ｍを保持する保持力が低下し、手首装着型血圧計用カフ２０と手首Ｍとの間に隙間が生じてしまう問題がある。一方、窄み部３４ａ，３４ｂを設けると、開口５０が狭くなり、手首Ｍを手首装着型血圧計用カフ２０の内側に挿入する際に、窄み部３４ａ，３４ｂが手首Ｍに当たってしまう、という問題がある。これに対し、実施例１の手首装着型血圧計１は、窄み部３４ａ，３４ｂを設け、さらに返し部３６ａを設ける構成により、手首Ｍを返し部３６ａの側面３７ａに押し当てて、開口５１を広げることができる。そのため、手首Ｍを手首装着型血圧計用カフ２０の内側に挿入し易くすることができる。
【実施例２】
【００３４】
まず、実施例２における手首装着型血圧計用カフの構成を説明する。
図５Ａは、実施例２の手首装着型血圧計用カフの構成と作用を説明する説明図であり、手首が返し部の側面に当接した状態を示す。図５Ｂは、実施例２の手首装着型血圧計用カフの作用を説明する説明図であり、開口が広げられた状態を示す。なお、実施例１で説明した内容と同一乃至均等な部分の説明については、同一用語又は同一の符号を用いて説明する。
【００３５】
実施例２の手首装着型血圧計用カフ１２０は、コアの返し部の構成が異なる点で実施例１の手首装着型血圧計用カフ２０と相違する。
【００３６】
［コアの返し部の構成］
実施例２もコア１３０は、図５Ａに示すように、返し部３６ａの先端から、コア本体１３１に近づく方向に屈曲して形成される第２返し部１３８ａを備える。返し部３６ａの側面３７ａと、第２返し部１３８ａの側面１３９ａとは、滑らかな曲面で接続される。
【００３７】
次に、実施例２の手首装着型血圧計用カフ１２０の作用を説明する。
実施例２の手首装着型血圧計用カフ１２０は、コア３０は、返し部３６ａの先端から、コア本体３１に近づく方向に屈曲して形成される第２返し部１３８ａを備える（図５Ａ）。
【００３８】
手首装着型血圧計用カフ１２０を手首Ｍに装着する際は、図５Ａに示すように、被測定者が、装置本体１０を手で持ち、手首装着型血圧計用カフ１２０の開口５１を、被測定者の手首Ｍに向けて移動させる。手首装着型血圧計用カフ１２０が、手首Ｍに近づくと、手首Ｍが、カバー体２１を介して、返し部３６ａの側面３７ａに当たる。
【００３９】
この際、返し部３６ａの先端には、第２返し部１３８ａが形成されているため、返し部３６ａの先端が手首Ｍに当たることを防止する。
【００４０】
手首Ｍが、カバー体２１を介して、返し部３６ａの側面３７ａに当たった状態で、手首装着型血圧計１０１を手首Ｍに近づく方向に移動させると、側面３７ａが手首Ｍに押される。側面３７ａが手首Ｍに押されると、図５Ｂに示すように、コア本体３１の形状が変形し、開口５１が開口長Ｈより長い開口長Ｈａとなり、開口５１が広がる。
【００４１】
開口５１が広がった状態で、手首装着型血圧計１０１を手首Ｍに近づく方向にさらに移動させると、手首Ｍが、開口５１を通過し、手首装着型血圧計用カフ１２０が手首Ｍに装着される。
【００４２】
すなわち、手首装着型血圧計用カフ１２０を手首Ｍに装着させる際に、手首Ｍを返し部３６ａの側面３７ａに確実に当てることができる。そのため、手首装着型血圧計用カフ１２０の手首Ｍへの装着性をさらに向上させることができる。なお、実施例１で説明した内容と同一乃至均等な部分の説明については、同一用語又は同一の符号を用いて説明する。
【実施例３】
【００４３】
まず、実施例３における手首装着型血圧計用カフの構成を説明する。
図６Ａは、実施例３の手首装着型血圧計用カフの構成と作用を説明する説明図であり、手首が返し部の側面に当接した状態を示す。図６Ｂは、実施例３の手首装着型血圧計用カフの作用を説明する説明図であり、開口が広げられた状態を示す。なお、実施例１で説明した内容と同一乃至均等な部分の説明については、同一用語又は同一の符号を用いて説明する。
【００４４】
実施例３の手首装着型血圧計用カフ２２０は、コアの返し部の構成が異なる点で実施例１の手首装着型血圧計用カフ２０と相違する。
【００４５】
［コアの返し部の構成］
図６Ａに示すように、コア本体２３１の底部３２から、コア本体２３１の装置本体１０が取り付けられる側の端部２３５ａまでの距離は、コア本体２３１の底部３２から、コア本体２３１の装置本体１０が取り付けられる側とは反対側の端部２３５ｂまでの距離より長く形成される。すなわち、コア本体２３１の装置本体１０が取り付けられる側の端部２３５ａは、コア本体２３１の装置本体１０が取り付けられる側とは反対側の端部２３５ｂより突出して設けられる。
【００４６】
コア本体２３１の端部２３５ａから、コア本体２３１の外側であって、コア本体２３１の端部２３５ａ，２３５ｂ間を結ぶ平面Ｐ１の垂直面Ｐ２に対して遠ざかる方向に延在する。言い換えると、コア本体２３１の端部２３５ａから、コア本体２３１の外周面の外側で、開口５０が広がる方向に張り出して返し部３６ａが形成される。
【００４７】
なお、コア本体２３１の装置本体１０が取り付けられる側とは反対側の端部２３５ｂが、コア本体２３１の装置本体１０が取り付けられる側の端部２３５ａより突出して設けられてもよい。この場合、コア本体２３１の端部２３５ｂから、コア本体２３１の外周面の外側で、開口５０が広がる方向に張り出して返し部が形成される。
【００４８】
次に、実施例３の手首装着型血圧計用カフ２２０の作用を説明する。
実施例３の手首装着型血圧計用カフ２２０は、コア本体３１の一方の端部２３５ａは、コア本体の他方の端部２３５ｂより突出して設けられ、返し部３６ａは、少なくとも突出して設けられたコア本体３１の一方の端部２３５ａに設けられる（図６Ａ）。
【００４９】
手首装着型血圧計用カフ２２０を手首Ｍに装着する際は、図６Ａに示すように、被測定者が、装置本体１０を手で持ち、手首装着型血圧計用カフ２２０の開口５１を、被測定者の手首Ｍに向けて移動させる。手首装着型血圧計用カフ２２０が、手首Ｍに近づくと、手首Ｍが、カバー体２１を介して、返し部３６ａの側面３７ａに当たる。
【００５０】
この際、返し部３６ａは、手首Ｍの手首装着型血圧計用カフ２２０への挿入軌跡で、コア本体２３１の端部２３６ｂより、手前側にある。そのため、返し部３６ａの側面３７ａを、手首Ｍの手首装着型血圧計用カフ２２０への挿入軌跡で、手首Ｍに最初に当てることができる。
【００５１】
手首Ｍが、カバー体２１を介して、返し部３６ａの側面３７ａに当たった状態で、手首装着型血圧計２０１を手首Ｍに近づく方向に移動させると、側面３７ａが手首Ｍに押される。側面３７ａが手首Ｍに押されると、図６Ｂに示すように、コア本体２３１の形状が変形し、開口５１が開口長Ｈより長い開口長Ｈａとなり、開口５１が広がる。
【００５２】
開口５１が広がった状態で、手首装着型血圧計２０１を手首Ｍに近づく方向にさらに移動させると、手首Ｍが、開口５０を通過し、手首装着型血圧計用カフ２２０が手首Ｍに装着される。
【００５３】
すなわち、手首装着型血圧計用カフ２２０を手首Ｍに装着する軌跡において、手首Ｍを、一方の端部２３５ａに設けられた返し部３６ａの側面３７ａに最初に当てることができる。そのため、手首装着型血圧計用カフ２２０の手首Ｍへの装着性をさらに向上させることができる。なお、実施例１で説明した内容と同一乃至均等な部分の説明については、同一用語又は同一の符号を用いて説明する。
【実施例４】
【００５４】
まず、実施例４における手首装着型血圧計用カフの構成を説明する。
図７Ａは、実施例４の手首装着型血圧計用カフの構成と作用を説明する説明図であり、手首が返し部の側面に当接した状態を示す。図７Ｂは、実施例４の手首装着型血圧計用カフの作用を説明する説明図であり、開口が広げられた状態を示す。なお、実施例１で説明した内容と同一乃至均等な部分の説明については、同一用語又は同一の符号を用いて説明する。
【００５５】
実施例４の手首装着型血圧計用カフ３２０は、コアの返し部の構成が異なる点で実施例１の手首装着型血圧計用カフ２０と相違する。
【００５６】
［コアの返し部の構成］
実施例４のコア３３０の返し部３６ａ，２３６ａは、図７Ａに示すように、コア本体３１の端部３５ａ，３５ｂの両方から、コア本体３１の外周面の外側で、コア本体３１の端部３５ａ，３５ｂ間を結ぶ平面Ｐ１の垂直面Ｐ２に対して遠ざかる方向に延在する。言い換えると、返し部３６ａ，２３６ａは、断面Ｃ字状を形成する端部３５ａ，３５ｂの両方から、コア本体３１の外周面の外側で、開口５０が広がる方向に張り出して形成される。
【００５７】
次に、実施例４の手首装着型血圧計用カフ３２０の作用を説明する。
手首装着型血圧計用カフ３２０を手首Ｍに装着する際は、図７Ａに示すように、被測定者が、装置本体１０を手で持ち、手首装着型血圧計用カフ３２０の開口５１を、被測定者の被測定部位である手首Ｍに向けて移動させる。
【００５８】
手首装着型血圧計用カフ３２０が、手首Ｍに近づくと、手首Ｍが、カバー体２１を介して、返し部３６ａの側面３７ａと、返し部３３６ｂの側面３３７ｂとの少なくとも一方に当たる。手首Ｍが、カバー体２１を介して、返し部３６ａの側面３７ａと、返し部３３６ｂの側面３３７ｂとの少なくとも一方に当たった状態で、手首装着型血圧計１を手首Ｍに近づく方向に移動させると、手首Ｍが当たっている側面３７ａ，３３７ｂが手首Ｍに押される。
【００５９】
側面３７ａ，３３７ｂが手首Ｍに押されると、図７Ｂに示すように、コア本体２３１の形状が変形し、開口５１が開口長Ｈより長い開口長Ｈａとなり、開口５１が広がる。開口５１が広がった状態で、手首装着型血圧計３０１を手首Ｍに近づく方向にさらに移動させると、手首Ｍが、開口５０を通過し、手首装着型血圧計用カフ２２０が手首Ｍに装着される。
【００６０】
すなわち、手首装着型血圧計用カフ３２０を手首Ｍに装着する際に、手首Ｍを、少なくとも一方の返し部３６ａ，２３６ａの側面３７ａ，２３７ａに押し付けて、コアの開口が開く方向に、コアを変形させることができる。そのため、手首装着型血圧計用カフ３２０の手首Ｍへの装着性をさらに向上させることができる。なお、実施例１で説明した内容と同一乃至均等な部分の説明については、同一用語又は同一の符号を用いて説明する。
【００６１】
以上、本発明の血圧計用カフを実施例１から実施例４に基づき説明してきた。しかし、具体的な構成については、これらの実施例に限られるものではなく、特許請求の範囲の各請求項に係る発明の要旨を逸脱しない限り、各実施例を組み合わせ、設計の変更や追加等は許容される。
【００６２】
実施例２では、返し部３６ａの先端に第２返し部１３８ａを備える例を示した。しかし、第２返し部としては、実施例３の返し部３６ａに適用することもできるし、実施例４の返し部３３６ａ，３３６ｂに適用することもできる。
【００６３】
実施例２では、断面Ｃ字状を形成する端部３５ａ，３５ｂの両方に、返し部３６ａ，２３６ａを設ける例を示した。しかし、実施例３のように、コア本体の一方の端部が、コア本体の他方の端部より突出して設けられる場合であっても、コア本体の両方の端部に返し部を設けることができる。
【００６４】
実施例１では、本発明を手首装着型血圧計用カフに適用する例を示した。しかし、本発明は、上腕など略円柱状の生体部位を計測する血圧計用カフに適用することができる。
【符号の説明】
【００６５】
１        手首装着型血圧計（血圧計の一例）
２０      手首装着型血圧計用カフ（血圧計用カフの一例）
２１      カバー体
３０      コア
３１      コア本体
３６ａ    返し部
５０      開口
１３９ａ  第２返し部
Ｍ        被測定部位としての手首
Ｐ１      平面
Ｐ２      垂直面
【図１】
2019154866.tif 000003
【図２】
2019154866.tif 000004
【図３】
2019154866.tif 000005
【図４Ａ】
2019154866.tif 000006
【図４Ｂ】
2019154866.tif 000007
【図５Ａ】
2019154866.tif 000008
【図５Ｂ】
2019154866.tif 000009
【図６Ａ】
2019154866.tif 000010
【図６Ｂ】
2019154866.tif 000011
【図７Ａ】
2019154866.tif 000012
【図７Ｂ】
2019154866.tif 000013